(57)【要約】【課題】シートバックがリクライニングしない固定式のものにおいて、通常姿勢と休息姿勢（通常の後傾姿勢に相当）をとることができるようにする。【解決手段】クッションフレーム３０に、シートクッション用クッション材２００を支持するクッション材支持機構３００が設けられ、クッション材支持機構３００が、シートクッション用クッション材２００を支持したままで、後方斜め上方と前方斜め下方との間でスライドするように設定されたスライドフレーム３１０を有している。スライドフレーム３１０が前方斜め下方にシートクッション用クッション材２００を支持した状態でスライドするため、座面角度は変化しない。座面角度が変化しないにもかかわらず、シートクッション用クッション材２００が前方に移動するため、着座者のトルソーアングルが大きくなり、実質的に従来のシートバックを後傾させた場合と同様の姿勢となる。【選択図】  図１
2012041031.tif 000002
【特許請求の範囲】
【請求項１】
バックフレームとクッションフレームとを有すると共に、前記バックフレームがリクライニングしない固定式となっている架台フレームにおいて、シートクッション用クッション材を支持するクッション材支持機構であって、
前記シートクッション用クッション材を支持した状態で、後方斜め上方と前方斜め下方との間でスライド可能となるようにスライド方向が設定されたスライドフレームを有することを特徴とするクッション材支持機構。
【請求項２】
幅方向に所定間隔をおいて設けられる一対の前記スライドフレームが、前記架台フレームのクッションフレームの一対のサイドフレームのそれぞれに係合されており、前記各サイドフレームに対して前記各スライドフレームが前記スライド方向にスライド可能である請求項１記載のクッション材支持機構。
【請求項３】
前記各スライドフレームが、長孔状に開設されたガイド孔を有すると共に、このガイド孔が前下がりとなるように設けられ、前記クッションフレームの各サイドフレームに、前記ガイド孔に案内されて相対変位するガイドピンが設けられている請求項１又は２記載のクッション材支持機構。
【請求項４】
前記スライドフレームのスライド方向は、前記フロアに平行な面に対する前下がり角度で１０度以下の範囲である請求項１〜３のいずれか１に記載のクッション材支持機構。
【請求項５】
前記一対のスライドフレームの後部間に掛け渡された後部連結シャフト又は前記シートクッション用クッション材の後部に、前記バックフレームに支持されるシートバック用クッション材の下端縁が連結されており、
前記スライドフレームの変位に応じて、前記シートバック用クッション材の下端縁が変位する請求項１〜４のいずれか１に記載のクッション材支持機構。
【請求項６】
前記架台フレームのクッションフレームの前縁部に、基端部を中心として上下に回動可能な一対のアーム部を備え、このアーム部の先端部間に配置され、大腿部を下方から弾性的に支持する大腿部支持フレームを備えた大腿部支持機構が設けられており、
前記各スライドフレームの前端部に基端部を中心として上下に回動可能なスライドアームがそれぞれ連結され、前記スライドフレームのスライドに伴って、前記スライドアームが、前記大腿部支持フレームに対してスライドする構成である請求項１〜５のいずれか１に記載のクッション材支持機構。
【請求項７】
前記大腿部支持機構は、前記架台フレームのクッションフレームの前縁部であって、前記各アーム部の基端部間に配設されたトーションバーにより弾性的に支持されている請求項６記載のクッション材支持機構。
【請求項８】
請求項１〜７のいずれか１に記載のクッション材支持機構を備えていることを特徴とするシート。
【請求項９】
前記クッション材支持機構に支持されるシートクッション用クッション材は、直径９８ｍｍの加圧板の中心を該シートクッション用クッション材におけるヒップポイント直下に一致させて５００Ｎまで加圧した際の荷重−たわみ特性が、５００Ｎでたわみ量７０ｍｍ以下であり、たわみ量３０ｍｍ以下ではバネ定数が５Ｎ／ｍｍ以下で推移し、たわみ量４０ｍｍ以上でバネ定数が１０Ｎ／ｍｍ以上で推移する非線形特性を有する請求項８記載のシート。
【請求項１０】
前後に所定間隔毎に複数設置されるものである請求項８又は９記載のシート。
【請求項１１】
乗物のフロアに所定間隔毎に設けられるものである請求項１０記載のシート。
【発明の詳細な説明】
【技術分野】
【０００１】
本発明は、フロアに、前後に所定間隔毎に複数設置される際に用いられるシートに適用されるクッション材支持機構及び該クッション材支持機構を備えたシートに関し、特に、航空機、列車、船舶、バスなどの自動車などの乗物におけるシートに適用され、さらには、映画館や劇場などにおいて用いられるシートにも適用可能なクッション材支持機構及び該クッション材支持機構を備えたシートに関する。
【背景技術】
【０００２】
航空機などにおいては複数の座席を縦列方向にも相当数連設し、限られたスペース内で所定数の座席を配置している。従って、各乗客の着座スペースも所定の大きさに限定されており、特に、前席においてシートバックをリクライニングさせて後傾させると、後席の着座者の脚を配置するスペースが大きく制限され、快適性を損なうという問題がある。このため、航空機などにおいては、乗客の快適性を向上させるに当たって、前席との間の脚配置スペースを含む着座スペースをより広く確保するための工夫が求められている。この点に鑑み本出願人は、特許文献１，２として、クッションフレームを後方位置と前方位置との間で変位可能とすることで、バックフレームを後傾させずに通常姿勢、休息姿勢をとることができ、後席の脚配置スペースを含む着座スペースを制限しない座席構造を提案している。
【先行技術文献】
【特許文献】
【０００３】
【特許文献１】特開２００７−１８１６１７号公報
【特許文献２】特開２００７−２３６５５４号公報
【発明の概要】
【発明が解決しようとする課題】
【０００４】
特許文献１，２の構造によれば、バックフレームを後傾させずに、休息姿勢にすることができるが、クッションフレームが前方位置にあるときには、クッションフレームの座面角度が、後方位置にあるときよりも大きくなる構造である。このため、休息姿勢にした場合に、大腿部の傾斜角度（サイアングル）が大きくなり、使用者によっては腹部に圧迫を感じることがあった。また、通常姿勢から休息姿勢に移行する際、着座者は、脚を踏ん張って臀部を前方に押し出すようにするが、特許文献１，２の場合、座面角度が大きくなる方向となるため、臀部を前方に押し出すのに所定の力が必要である。
【０００５】
本発明は上記に鑑みなされたものであり、シートバックがリクライニングしない固定式のものにおいて、通常姿勢と休息姿勢（通常の後傾姿勢に相当）をとることができ、しかも、休息姿勢をとった際にも腹部の圧迫感を与えることがないと共に、休息姿勢へ移行する際に必要な力を従来よりも小さくできるクッション材支持機構及び該クッション材支持機構を用いたシートを提供することを課題とする。
【課題を解決するための手段】
【０００６】
上記課題を解決するため、本発明のクッション材支持機構は、バックフレームとクッションフレームとを有すると共に、前記バックフレームがリクライニングしない固定式となっている架台フレームにおいて、シートクッション用クッション材を支持するクッション材支持機構であって、前記シートクッション用クッション材を支持した状態で、後方斜め上方と前方斜め下方との間でスライド可能となるようにスライド方向が設定されたスライドフレームを有することを特徴とする。
【０００７】
幅方向に所定間隔をおいて設けられる一対の前記スライドフレームが、前記架台フレームのクッションフレームの一対のサイドフレームのそれぞれに係合されており、前記各サイドフレームに対して前記各スライドフレームが前記スライド方向にスライド可能である構成とすることが好ましい。前記各スライドフレームが、長孔状に開設されたガイド孔を有すると共に、このガイド孔が前下がりとなるように設けられ、前記クッションフレームの各サイドフレームに、前記ガイド孔に案内されて相対変位するガイドピンが設けられていることが好ましい。前記スライドフレームのスライド方向は、前記フロアに平行な面に対する前下がり角度で１０度以下の範囲であることが好ましい。
【０００８】
前記一対のスライドフレームの後部間に掛け渡された後部連結シャフト又は前記シートクッション用クッション材の後部に、前記バックフレームに支持されるシートバック用クッション材の下端縁が連結されており、前記スライドフレームの変位に応じて、前記シートバック用クッション材の下端縁が変位する構成であることが好ましい。
【０００９】
前記架台フレームのクッションフレームの前縁部に、基端部を中心として上下に回動可能な一対のアーム部を備え、このアーム部の先端部間に配置され、大腿部を下方から弾性的に支持する大腿部支持フレームを備えた大腿部支持機構が設けられており、前記各スライドフレームの前端部に基端部を中心として上下に回動可能なスライドアームがそれぞれ連結され、前記スライドフレームのスライドに伴って、前記スライドアームが、前記大腿部支持フレームに対してスライドする構成であることが好ましい。前記大腿部支持機構は、前記架台フレームのクッションフレームの前縁部であって、前記各アーム部の基端部間に配設されたトーションバーにより弾性的に支持されていることが好ましい。
【００１０】
また、本発明のシートは、上記いずれかのクッション材支持機構を備えていることを特徴とする。このクッション材支持機構に支持されるシートクッション用クッション材は、直径９８ｍｍの加圧板の中心を該シートクッション用クッション材におけるヒップポイント直下に一致させて５００Ｎまで加圧した際の荷重−たわみ特性が、５００Ｎでたわみ量７０ｍｍ以下であり、たわみ量３０ｍｍ以下ではバネ定数が５Ｎ／ｍｍ以下で推移し、たわみ量４０ｍｍ以上でバネ定数が１０Ｎ／ｍｍ以上で推移する非線形特性を有することが好ましい。前後に所定間隔毎に複数設置されるシートに適用されることが好ましい。特に、本発明のシートは、乗物のフロアに所定間隔毎に設けられるものであることが好ましい。
【発明の効果】
【００１１】
本発明は、バックフレームがクッションフレームとのなす角度が変化しない固定式で設けられている一方、クッションフレームに、シートクッション用クッション材を支持するクッション材支持機構が設けられ、このクッション材支持機構が、シートクッション用クッション材を支持したままで、後方斜め上方と前方斜め下方との間でスライドするように設定されたスライドフレームを有している。つまり、スライドフレームのスライド方向が前下がり方向となるように設定されている。従って、通常姿勢からスライドフレームが前方斜め下方にスライドすると休息姿勢をとることができる。この場合、スライドフレームが前方斜め下方にシートクッション用クッション材を支持した状態でスライドするため、座面角度は変化しない。座面角度が変化しないにもかかわらず、シートクッション用クッション材が前方に移動するため、着座者のトルソーアングルが大きくなり、実質的に従来のシートバックを後傾させた場合と同様の姿勢となる。また、休息姿勢となっても座面角度が変化せず、サイアングルが大きくならないため、トルソー−サイアングル（トルソーラインと大腿部とのなす角）が大きくなり、腹部に圧迫を感じさせることもなくなる。
【００１２】
また、通常姿勢から休息姿勢に変化する際のスライドフレームのスライド方向が前下がり方向であるため、前方にスライドさせるために着座者が臀部を前方に押し出す力は従来と比較して小さくてよく、操作が容易となる。
【図面の簡単な説明】
【００１３】
【図１】図１は、本発明の一の実施形態に係るシートを正面側から見た外観斜視図である。
【図２】図２は、図１のシートのフレーム構造を示した図である。
【図３】図３は、上記実施形態に係るシートの要部分解斜視図である。
【図４】図４（ａ）は、通常位置におけるシートクッション用クッション材、クッション用支持機構の状態を示した図であり、図４（ｂ）は、休息姿勢（リクライニング姿勢）におけるシートクッション用クッション材、クッション用支持機構の状態を示した図である。
【図５】図５（ａ）は、通常位置におけるクッション用支持機構の状態を示した図であり、図５（ｂ）は、図の左側のシートが休息姿勢（リクライニング姿勢）となっている場合のクッション用支持機構の状態を示した図である。
【図６】図６（ａ）は、通常位置におけるシートクッション用クッション材、クッション用支持機構、シートバック用クッション材及び着座者の状態を示した図であり、図６（ｂ）は、休息姿勢（リクライニング姿勢）におけるシートクッション用クッション材、クッション用支持機構、シートバック用クッション材及び着座者の状態を示した図である。
【図７】図７は、本実施形態のシートと従来のファーストクラスの航空機のシートについて、直径９８ｍｍの加圧板により加圧した際の荷重−たわみ特性を示した図である。
【図８】図８は、指尖容積脈波により算出した疲労度の時間変化を示した図である。
【図９】図９は、ふくらはぎ表面血流量の時間変化を示した図である。
【図１０】図１０は、指尖容積脈波のウェーブレット解析により求めたＨＦ・ＬＦ／ＨＦ成分変動を示した図である。
【図１１】図１１は、脳波分布率の時間変化を示した図である。
【発明を実施するための形態】
【００１４】
以下、図面に示した実施形態に基づき、本発明をさらに詳細に説明する。図１は、本発明の一の実施形態に係るシート（航空機の客室用座席）１の外観を正面側から見た斜視図であり、図２はシートクッション用クッション材４００の表層クッション材４２０及びシートバック用クッション材２００を取り外したシート１のフレーム構造を示した図である。
【００１５】
図２に示したように、シート１の架台フレーム１０は、バックフレーム２０とクッションフレーム３０とを有しており、これらは脚部フレーム４０により乗物のフロアに固定されている。バックフレーム２０は、リクライニングしない固定式、すなわち、クッションフレーム３０とのなす角度が変化しないように設けられている。
【００１６】
クッションフレーム３０には、クッション材支持機構３００が設けられる。クッション材支持機構３００は、クッションフレーム３０の幅方向に所定間隔をおいて、クッションフレーム３０の各サイドフレーム３１，３１の上部に設けられた一対のスライドフレーム３１０，３１０を有している。
【００１７】
スライドフレーム３１０，３１０は、図２及び図３に示したように、前端付近と後端付近とに２つの長孔状のガイド孔３１１，３１２が開設されている。一方、クッションフレーム３０の各サイドフレーム３１，３１の前後には所定間隔をおいて上方に突出するブラケット３１３ａ，３１４ａが取り付けられており、このブラケット３１３ａ，３１４ａにガイドピン３１３，３１４が取り付けられ、このガイドピン３１３，３１４が上記したガイド孔３１１，３１２に係合し、ガイドされるようになっている。
【００１８】
ここで、サイドフレーム３１，３１は、それらの上縁が側面視で水平ではなく、後部位置が高く、前部位置が低くなるように形成されている（図４参照）。このため、ブラケット３１３ａ，３１４ａに取り付けられたガイドピン３１３，３１４も後部に位置するガイドピン３１４の位置が、前部に位置するガイドピン３１３よりも高い位置となっている。これにより、これらのガイドピン３１３，３１４にガイド孔３１１，３１２が係合するスライドフレーム３１０，３１０は、側面視で前下がりに傾斜して設けられる。そのため、長孔状のガイド孔３１１，３１２も、結果的に、側面視で前下がりに傾斜して設けられる。これにより、スライドフレーム３１０，３１０は、後方斜め上方と前方斜め下方との間でスライドすることになる。すなわち、スライドフレーム３１０，３１０が前方に移動する際には前下がり方向となる。この前下がり角度（図６（ａ）のフロアとの平行面に対する角度）θ１は、１０度以下が好ましく、さらには、２〜８度の範囲がより好ましく、３〜６度の範囲が最も好ましい。なお、スライドフレーム３１０，３１０を後方斜め上方と前方斜め下方との間でスライドできれば構造はこれに限るものではなく、例えば、サイドフレーム３１，３１の上縁が傾斜していることは必須ではない。
【００１９】
サイドフレーム３１，３１の内側面には、それぞれロック用爪３１５，３１５が付設されている（図３，図６参照）。ロック用爪３１５，３１５は、前端部間が連結ロッド３１６により連結されている。ロック用爪３１５，３１５の後端部付近には、上縁部から下方に向かって切り欠かれたロック溝３１５ａ，３１５ａが設けられており、このロック溝３１５ａ，３１５ａに、スライドフレーム３１０，３１０に下方に向かって取り付けられたブラケット３１７ａ，３１７ａに設けられたロックピン３１７，３１７が係合することによりロックされる。連結ロッド３１６の一端側には、ロック解除用レバー３１８が連結されており、このロック解除用レバー３１８を上動させると、ロック用爪３１５，３１５の後端部側が下方に下がり、ロック用爪３１５，３１５からロックピン３１７，３１７が離脱する。ロックピン３１７，３１７がロック溝３１５ａ，３１５ａから離脱した状態で、臀部を前方に動かすと、ロックピン３１７，３１７は、ロック用爪３１５，３１５の上縁部３１５ｂ，３１５ｂに沿って前方に移動する。一方、着座者が立ち上がると、ロックピン３１７，３１７は所定量後方に移動すると、ロック溝３１５ａ，３１５ａ内に落ち込み、それにより、再びロックがなされることになる。すなわち、ロックピン３１７，３１７には、リターンスプリング３１９の一端が係合されており、このリターンスプリング３１９の他端が、架台フレーム１０の後部付近、例えば、サイドフレーム３１の後端部に係合されている。これにより、着座者が立ち上がると、ロックピン３１７，３１７は後方に移動する。
【００２０】
ここで、本実施形態においてはクッションフレーム３０の前縁部に大腿部支持機構を備えている。大腿部支持機構は、具体的には、前縁部に位置する前縁フレーム３２に所定間隔をおいて付設されたブラケット３２ａ，３２ａ間に支持されたトーションバー３５と、トーションバー３５の両端に連結されたアーム部３６，３６と、該アーム部３６，３６の先端部間に配置された大腿部支持フレーム３７とを備えて構成されている。これにより、トーションバー３５の弾性力によって、大腿部支持フレーム３７が常に、着座者の大腿部を下方から上方に付勢するように支持している。トーションバー３５の弾性力は、大腿部を下方から付勢することにより着座姿勢に安定感を付与すると共に、振動吸収、衝撃吸収にも寄与する。なお、アーム部３６，３６と大腿部支持フレーム３７とは、別部材を連結するのではなく、略コ字状に形成した一体のフレームとすることもできる。
【００２１】
上記した大腿部支持機構をクッションフレーム３０の前縁部に有しているため、各スライドフレーム３１０，３１０の前端部３１０ａ，３１０ａには、スライドアーム３２０，３２０が設けられている。スライドアーム３２０，３２０の基端部３２０ａ，３２０ａ間には、前部連結シャフト３３１が挿通され、この前部連結シャフト３３１の各端部が各スライドフレーム３１０，３１０の前端部３１０ａ，３１０ａに連結され、これにより、スライドアーム３２０，３２０は上下に回動可能になっている。スライドアーム３２０，３２０には前後方向に沿って長孔３２１，３２１が形成されている。そして、この長孔３２１，３２１内に上記した大腿部支持フレーム３７を挿通し、アーム部３６，３６が長孔３２１，３２１の外側に位置するように設けることで、スライドフレーム３１０，３１０が前後方向へスライドすると、それに伴って、スライドアーム３２０，３２０が大腿部支持フレーム３７に対して前後方向にスライドする。
【００２２】
スライドアーム３２０，３２０間には、扁平な略筒状に形成されたカバーアーム３３０が設けられている。カバーアーム３３０の中空部３３０ａも、側面視で長孔状に設けられ、該中空部３３０ａ内にも大腿部支持フレーム３７が挿通される。カバーアーム３３０の各端部は、スライドアーム３２０，３２０に連結され、スライドアーム３２０，３２０間の距離を保つと共に、所定の強度を確保している。
【００２３】
クッション材支持機構３００には、シートクッション用クッション材４００が支持される（図６参照）。シートクッション用クッション材４００は、スライドフレーム３１０，３１０の後端部３１０ｂ，３１０ｂ間に設けられた後部連結シャフト３３２（図３参照）と上記した前部連結シャフト３３１との間に掛け渡された二次元ネット材や三次元立体編物からなるベースネット４１０と、このベースネット４１０の上部であって、後縁部が後部連結シャフト３３２に支持され、前縁部がスライドアーム３２０，３２０間のカバーアーム３３０を上面側から下面側に被覆するように支持される表層クッション材４２０とを有して構成される。これにより、スライドフレーム３１０，３１０の後方斜め上方と前方斜め下方との間でのスライドに伴って、シートクッション用クッション材４００も同方向にスライドする。なお、表層クッション材４２０は、三次元立体編物、発泡ウレタン、ビーズ発泡体等のうちのいずれか１種、あるいは、これらの２種以上の積層体等から構成される。
【００２４】
ここで、シートクッション用クッション材４００は、図７で示した特性を有するものが好ましい。すなわち、荷重５００Ｎでたわみ量７０ｍｍ以下であり、たわみ量３０ｍｍ以下ではバネ定数が５Ｎ／ｍｍ以下で推移し、たわみ量４０ｍｍ以上でバネ定数が１０Ｎ／ｍｍ以上で推移する非線形特性を有するものであるが、詳細については後述する。
【００２５】
バックフレーム２０には、シートバック用クッション材２００が支持される。シートバック用クッション材２００は、バックフレーム２０の上部フレーム２１と上記したスライドフレーム３１０，３１０の後端部３１０ｂ，３１０ｂ間に設けられた後部連結シャフト３３２との間に掛け回されるベースネット２１０とこのベースネット２１０を被覆する表層クッション材２２０とを備えて構成される。ベースネット２１０が、後部連結シャフト３３２に連結されているため、スライドフレーム３１０，３１０が前方への移動に応じて、ベースネット２１０の下部が前方にせり出てくる（図６（ｂ）参照）。なお、表層クッション材２２０はベースネット２１０の動きに追随するように、ベースネット２１０に縫製等により連結されている。また、シートバック用クッション材２００のベースネット２１０の下縁部は、上記した後部連結シャフト３３２ではなく、シートクッション用クッション材４００のベースネット４１０自体に縫製等により連結してもよい。
【００２６】
次に、本実施形態の作用を説明する。通常姿勢では、図４（ａ）、図５（ａ）、図６（ａ）に示したように、クッション材支持機構３００のスライドフレーム３１０及びスライドアーム３２０、並びに、シートクッション用クッション材４００が、いずれも、最も後方に位置している。すなわち、図６（ａ）に示したように、スライドフレーム３１０のガイドピン３１３，３１４がガイド孔３１１，３１２内で最も後方に位置し、ロックピン３１７がロック用爪３１５のロック溝３１５ａに係合してロックされている。この姿勢で、着座者が脚部を伸ばすと、スライドアーム３２０及びカバーフレーム３３０が大腿部支持フレーム３７の弾性力に抗して下方に回動する。このとき、大腿部支持フレーム３７は、スライドアーム３２０の長孔３２１及びカバーアーム３３０の中空部３３０ａの前方に位置しているため、トーションバー３５から、スライドアーム３２０及びカバーアーム３３０の前端縁までの距離が近いため、トーションバー３５による弾性力を相対的に硬めに感じ、大腿部をしっかり支持し、相対的にアップライトな通常姿勢の維持を行いやすくする。
【００２７】
通常姿勢から休息姿勢（リラックス姿勢）に移行する際には、図４（ｂ）に示したように、ロック解除用レバー３１８を上方に引く。それにより、ロック用爪３１５の後端部が下降し、ロック溝３１５ａからロックピン３１７が離脱する。その状態で着座者が臀部を前方にずらすと、ロックピン３１７は、ロック用爪３１５の上縁部３１５ｂに沿って前方斜め下方に向かって移動する。それに伴って、シートクッション用クッション材４００も前方斜め下方に向かってスライドする。
【００２８】
大腿部支持フレーム３７が、スライドアーム３２０の長孔３２１及びカバーアーム３３０の中空部３３０ａの後方に至り、スライドフレーム３１０のガイド孔３１１，３１２内でガイドピン３１３，３１４の後方に至ると、前方斜め下方に向かってのスライドが停止する。スライドフレーム３１０が前下がりに傾斜しているため、臀部を前方に押し出す力が従来よりも小さな力で容易にスライドさせることができる。
【００２９】
この際、シートバック用クッション材２００がスライドフレーム３１０と共に前方にせり出す。これにより、着座者の臀部、骨盤、腰部が前方にスライドしても臀部から腰部にかけての部分を後ろから支え、休息姿勢（リラックス姿勢）を安定して支持できる。また、最も前方斜め下方に位置した際には、図６（ｂ）に示したように、サイアングルは変化しないものの、トルソーアングルは通常位置よりも大きくなる。サイアングルが変化せず、トルソーアングルのみが変化するため、両者間の角度であるトルソー−サイアングルが大きくなり、腹部の圧迫を感じることなく、休息姿勢に移ることができる。
【００３０】
休息姿勢では、大腿部支持フレーム３７がスライドアーム３２０の長孔３２１及びカバーアーム３３０の中空部３３０ａの後方に位置しているため、トーションバー３５から、スライドアーム３２０及びカバーアーム３３０の前端縁までの距離が通常位置よりも相対的に遠くなる。このため、トーションバー３５による弾性力を相対的に柔らかめに感じ、リラックス姿勢に適した支持感が得られる。
【００３１】
休息姿勢において、臀部を後方に移動させるか、あるいは、立ち上がりにより臀部をシートクッション用クッション材４００から離間させる。これにより、ロックピン３１７は、リターンスプリング３１９の復帰力により、ロック用爪３１５の上縁部３１５ｂに沿って後方に向かって移動し、それにより、スライドフレーム３１０が後方に自動的に移動する。所定量後方に移動すると、ロック用爪３１５の後端部付近に上縁部から下方に向かってロック溝３１５ａが切り欠かれているため、ロックピン３１７がロック溝３１５ａ内に特別な外力を付与しなくても落ち込み、通常姿勢位置でのロックがなされる。
【００３２】
（試験例）
図７は、本実施形態のシート１について、通常姿勢（アップライト姿勢：図６（ａ）の状態）と休息姿勢（リラックス姿勢：図６（ｂ）の状態）に対応するようにクッション材支持機構３００及びシートクッション用クッション材４００を設定して、直径９８ｍｍの加圧板の中心を該シートクッション用クッション材４００におけるヒップポイント直下に一致させて５００Ｎまで加圧した際の荷重−たわみ特性である。また、航空機に採用されている従来のファーストクラス座席（１ｓｔクラス座席）についても同様の測定を行い、その荷重−たわみ特性を図７に示した。なお、図７の「臀部筋肉特性」は、直径９８ｍｍの加圧板で１００Ｎまで人の臀部を加圧した際の荷重−たわみ特性を示す代表的なデータである。
【００３３】
図７から、いずれも、臀部筋肉特性と同様の傾きを有しているが、荷重１２０Ｎを超えた付近からのたわみ方に大きな差があった。
【００３４】
すなわち、本実施形態のシート１では、「アップライト」及び「リラックス」共に、荷重５００Ｎでたわみ量７０ｍｍ以下、好ましくは６５ｍｍ以下であり、たわみ量３０ｍｍ以下ではバネ定数が５Ｎ／ｍｍ以下、好ましくは１〜５Ｎ／ｍｍの範囲で推移し、たわみ量４０ｍｍ以上でバネ定数が１０Ｎ／ｍｍ以上、好ましくは１０〜２０Ｎ／ｍｍの範囲で推移する非線形特性を有している。これに対し、従来の１ｓｔクラス座席では、荷重５００Ｎのたわみ量が約７５ｍｍであると共に、たわみ量６０ｍｍ付近までバネ定数が５Ｎ／ｍｍと低いままで、本実施形態よりもストロークが大きいことがわかる。
【００３５】
図８〜図１１は、３０歳代の健康な男性被験者２名が、本発明のシート１にアップライト姿勢とリラックス姿勢で着座した場合、及び、従来の１ｓｔクラス座席に基本姿勢（リラックス姿勢）で着座した場合の、疲労度、ふくろはぎの表面血流量、ＨＦ・ＬＦ／ＨＦ成分変動、脳波分布率を示したものである。
【００３６】
なお、指尖容積脈波は、指尖容積脈波収集装置（（株）アムコ製フィンガークリッププローブSR-5C）で計測し、疲労度は、指尖容積脈波のパワー値の積分値（本出願人提案の国際公開番号：ＷＯ２００５／０３９４１５号公報参照）と官能評価手法に基づいて求めた。官能評価は積分筋電図と相関性の高いBorgの指標を用いた。ふくらはぎの表面血流量は血流量収集装置（（株）サイバーファーム製レーザー血流計CDF-2000）で計測した。
【００３７】
図８に示した指尖容積脈波により算出した疲労度の時間変化を見ると、本実施形態のアップライト姿勢とリラックス姿勢の疲労の進行は同等に小さく、１ｓｔクラス座席で疲労度が大きかった。
【００３８】
図９は、ふくらはぎ表面血流量の時間変化を示す。アップライト姿勢とリラックス姿勢の血流量の変化は小さく安定している。一方、１ｓｔクラス座席では、1200秒を経過した時点で血流量の変化が大きくなり、被験者に無意識の体動が生じたものと考えられる。これは、図８の疲労曲線でも同じ時間帯で傾きの変化が生じた(矢印ａ)。図１０は、指尖容積脈波のウェーブレット解析により求めたＨＦ・ＬＦ／ＨＦ成分変動を示す。本実施形態のシート１におけるアップライト姿勢は、副交感神経優位となり、リラックス状態に誘導され、900秒と1200秒の２回のタイミングでマイクロスリープが生じた。そして、同シート１でのリラックス姿勢は、交感神経と副交感神経のバランスの良い状態が作られ、リラックスして覚醒度の高い状態となり、疲労回復効果の可能性が示唆される。
【００３９】
一方、１ｓｔクラス座席では、リラックス状態に誘導された後に、睡眠状態に移行したが、被験者に痛みが生じ、中途覚醒が生じた可能性が高い。1200秒〜1500秒間での交感神経のバースト波の発現から、痛みにより体動が生じたものと考えられる。これも、図８及び図９と同じ時間帯で被験者の体内で何らかの変化が生じたことが示唆される。図１１に脳波分布率の時間変化を示す。１ｓｔクラス座席では、θ波の分布率が常時２０％を超えており、睡眠状態にあったものと考えられる。なお、本実施形態のシート１と１ｓｔクラス座席の差は、図７に示すクッションストロークの差が顕著に認められ、比較指標で生じた差はクッションストロークの差が原因と考えられる。体感では、１ｓｔクラス座席は、重心移動により体が埋り込み、姿勢を変えるのに筋力を必要とし、末梢系の神経系の圧迫、
【００４０】
上記した説明では、航空機の客室に適用した場合を例に挙げたが、航空機に限らず、列車、船舶、バスを含む自動車等の乗物のシートにももちろん適用可能である。また、映画館や劇場などにおいて前後に複数所定間隔毎に設けられたシートにも適用可能である。
【符号の説明】
【００４１】
１  シート
１０  架台フレーム
２０  バックフレーム
２００  シートバック用クッション材
２１０  ベースネット
２２０  表層クッション材
３０  クッションフレーム
３５    トーションバー
３６    アーム部
３７    大腿部支持フレーム
４０  脚部フレーム
３００  クッション材支持機構
３１０  スライドフレーム
３１５  ロック用爪
３１７  ロックピン
３１８  ロック解除用レバー
３１９  リターンスプリング
３２０  スライドアーム
３３０  カバーアーム
３３１  前部連結シャフト
３３２  後部連結シャフト
４００  シートクッション用クッション材
４１０  ベースネット
４２０  表層クッション材
【図１】
2012041031.tif 000003
【図２】
2012041031.tif 000004
【図３】
2012041031.tif 000005
【図４】
2012041031.tif 000006
【図５】
2012041031.tif 000007
【図６】
2012041031.tif 000008
【図７】
2012041031.tif 000009
【図８】
2012041031.tif 000010
【図９】
2012041031.tif 000011
【図１０】
2012041031.tif 000012
【図１１】
2012041031.tif 000013